(57)【要約】【解決課題】本発明は、身体障害者が安全に着座しできる車椅子の制動装置の改良に関する発明である。【解決手段】本発明である車椅子の制動装置は、上記の課題を解決するために、棒状のブレーキバーに接続し後輪を止める一文字状のブレーキと、ブレーキバーの中部で前記ブレーキを自動的にかけるＹ字状の嵌着部と、前記ブレーキバーを制御するワイヤーと、前記ワイヤーに接続し着座シートの伸縮により前記ワイヤーを引く伸縮帯とからなることを特徴とする車椅子の制動装置の構成とした。【選択図】　図１
2004081720.tif 000002
【特許請求の範囲】
【請求項１】
棒状のブレーキバーに接続し後輪を止める一文字状のブレーキと、ブレーキバーの中部で前記ブレーキを自動的にかけるＹ字状の嵌着部と、前記ブレーキバーを制御するワイヤーと、前記ワイヤーに接続し着座シートの伸縮により前記ワイヤーを引く伸縮帯とからなることを特徴とする車椅子の制動装置。
【請求項２】
請求項１に記載したブレーキバーの下部は、着座シートを広げる後筋交いの上部に回動可能に設けた可動部材へ接続し、前記ブレーキバーは、垂直フレームに固定したリングの内側で手動でブレーキを解除できることをことを特徴とする車椅子の制動装置。
【発明の詳細な説明】
【０００１】
【発明が属する技術分野】
本発明は、利用者である身体障害者等が、安全に着座できる車椅子の制動装置の改良に関する発明である。
【０００２】
【従来の技術】
従来の車椅子に設けた制動装置は、後輪近くに取り付けた手動レバー式からなる制動装置であり、利用者が車椅子に乗る前に、手動装置であるレバーを引くことで前記後輪をレバーから延びたＬ字状のストッパーで圧着し、ブレーキをかける制動装置であった。
【０００３】
しかしながら、従来発明である手動レバー式の制動装置は、利用者が不意に立ち上がり、制動装置がかかっていないまま車椅子が動き出してしまい利用者が転倒し、骨折等をしていたことは重大な問題である。
【０００４】
また、車椅子を使用する利用者等は、制動装置であるブレーキをかけておかなければ危険だという事を予め認知できないことがあるため、ブレーキをかけ忘れたまま車椅子に座ろうとし、車椅子だけが動きだし、利用者が転倒する危険性が多いとの問題である。
【０００５】
そこで、本発明では、利用者等が不意に立ち上がろうとする際、制動装置の掛け忘れがない、安全な車椅子の制動装置を提供することを目的とするものである
。
【０００６】
【課題を解決するための手段】
本発明である車椅子の制動装置は、上記の課題を解決するために、棒状のブレーキバーに接続し後輪を止める一文字状のブレーキと、ブレーキバーの中部で前記ブレーキを自動的にかけるＹ字状の嵌着部と、前記ブレーキバーを制御するワイヤーと、前記ワイヤーに接続し着座シートの伸縮により前記ワイヤーを引く伸縮帯とからなることを特徴とする車椅子の制動装置の構成とした。
【０００７】
【実施例】
以下に、添付図面に基づき本発明である車椅子の制動装置について詳細を説明する。
【０００８】
図１は本発明である車椅子の制動装置を取り付けた車椅子の左側面図、図２及び図３は、本発明である車椅子の制動装置を取り付けた車椅子の正面図と背面図である。
【０００９】
図１に示したのは、本発明である車椅子の制動装置の左側面図である。図１に示したように車椅子１は、フレームである枠体部２と、枠体部２の後側に設けた車輪部３とからなり、枠体部２と車輪部３の間に制動装置部４が設けられている
。
【００１０】
図１及び、図２に示したように前記枠体部２は、制動装置部４を設けるハンドル１４、１４ａ付きの垂直フレーム２ａ、２ｂに、肘掛け１５、１５ａ及び足乗せ１６、１６ａが付いた操作フレーム６、６ａ、着座シート１９を設けた中フレーム７、７ａと、下フレーム８、８ａからなる。また制動装置部４で制動する車輪部３は、左右の後輪３ａ、３ｂと、補助車輪１７、１７ａからなる。
【００１１】
図１の左部に示したように本発明の中心である制動装置部４は、ブレーキバー９と、ブレーキ９ｃと、ブレーキワイヤー１３とからなる。前記ブレーキバー９とブレーキ９ｃは一体構造になっているが、別体構造としてもよい。
【００１２】
前記制動装置部４で後輪３ａを制動する仕組みは、ブレーキバー９と着座シート１９の下に設けた左右の伸縮帯２０、２０ａが前記ブレーキワイヤー１３で連結しており、着座シート１９を広げることでブレーキ９ｃがかかる仕組みである。前記伸縮帯２０、２０ａとは布やゴム等からなり、着座の際、ワイヤー１３を引く張力に優れた帯である。
【００１３】
また制動装置部４で後輪３ａを解除する仕組みは、まず着座シート１９に利用者が座ることで、左側の伸縮帯２０に連動したブレーキワイヤー１３が引っ張られ、ブレーキ９ｃ等の解除を行う仕組みと、着座シート１９に利用者が座らない場合、即ち、着座シート１９を広げたまま移動する場合に、ブレーキ９ｃを解除するために、ブレーキバー９を移動させる仕組みがある。着座シート１９を広げたままブレーキ９ｃを手動で解除する仕組みの詳細な説明は図８で行う。
【００１４】
なお、図１の右上に示したように前記ブレーキワイヤー１３は、外周に円柱状の鞘１３ｂを任意の長さに設けた。ブレーキワイヤー１３を保護するためである。次に、図２及び図３で本発明である車椅子の制動装置４ａ、４ｂについて詳細を説明する。
【００１５】
図２の垂直フレーム２ａ、２ｂの背面に設けた装置は、本発明である車椅子１の制動装置部４である。制動装置部４は、略Ｌ字状のブレーキを設け、制動装置４ａ、４ｂからなる。
【００１６】
また前記左右の垂直フレーム２ａ、２ｂの間には、折り畳み可能な背もたれシート１８及び前記ブレーキワイヤー１３を接続した着座シート１９を設けている。本発明では、利用者等が前記着座シート１９に腰掛けることで、制動装置部４の左右ブレーキ９ｂ、９ｃを解除できる。
【００１７】
図２の中部に示した制動装置４ａ、４ｂの左右のブレーキ９ｂ、９ｃの解除に使用する部材は、Ｘ字の状態を形成する前筋交い２１、２２と、前記前筋交い２１、２２の端部を形成する押圧部材２２ａ、押圧部材２１ａを使用する。
【００１８】
前記左右の押圧部材２１ａ、２２ａは、垂直フレーム２ａ、２ｂに沿って押すことで前記着座シート１９及び伸縮帯２０を広げることができる部材である。次に図３で左右の制動装置４ａ、４ｂの説明をする。
【００１９】
図３は、本発明である車椅子の制動装置を取り付けた車椅子の背面図である。図３の左側に示したように、制動装置４ｂは、ブレーキバー９ａと、前記ブレーキバー９ａの上部で後輪３ｂを止める一文字状のブレーキ９ｂと、ブレーキバー９ａの中部で前記ブレーキ９ｂを任意にかけるＹ字状の嵌着部９ｅと、前記ブレーキバー９ａを制御するブレーキワイヤー１３ａと、前記ブレーキワイヤー１３ａを伸縮させる伸縮帯２０とからなる装置である。
【００２０】
ブレーキバー９ａの下部は、着座シート１９を広げる後筋交い２４、２５の上部に回動可能に設けた可動部材１２ａへ接続する。そして、前記ブレーキバー９ａは、垂直フレーム２ａ、２ｂに固定したリング１１、１１ａの内側で手動でブレーキ９ｂを解除できることをことを特徴とする。
【００２１】
右側に示した制動装置４ａは、左側に示した制動装置４ｂと同じく、棒状のブレーキバー９と、ブレーキ９ｂと、Ｙ字状の嵌着具９ｄとからなり、ブレーキバー９は、ブレーキワイヤー１３と接続し、前記ブレーキバー９がリング１１の内側で移動する仕組みである。また、ブレーキバー９の嵌着具９ｄに係止していなくとも、常に後輪を止めることもできる。
【００２２】
ブレーキワイヤー１３、１３ａの取付は鞘１３ｂ、１３ｃの内部に収納し、背もたれシート１８に固定バンド１０ｄ、１０ｄ等で複数箇所を固定することができる。また前記鞘１３ｂは垂直フレーム２ａに取り付けたＵ字状の鞘止め具１０ｂで固定し、鞘１３ｃは垂直フレーム２ｂｂに取り付けたＵ字状の鞘止め具１０ｃで固定する。
【００２３】
図４及び図５は、本発明である車椅子の制動装置を取り付けた車椅子を折り畳んだ時の正面図と底面図である。図４に示したように、着座シート１９の中央１９ａを上部に持ち上げ、ネジ２３止めした前筋交い２１、２２→ネジ２６止めした後筋交い２４、２５→可動部材１２、１２ａ→左右のブレーキ９ｂ、９ｃの順に前記ブレーキ９ｂ、９ｃを解除する。
【００２４】
図５は、ブレーキワイヤー１３、１３ａで接続した伸縮帯２０、２０ａが、押さえ帯２０ｂにより、伸縮帯２０、２０ａの中央部を押さえていることを示した車椅子の制動装置の底面図である。前記押さえ帯２０ｂは、前記着座シート１９を折り畳む際、垂直方向への伸縮帯２０、２０ａの垂れ下がりを防止するためである。次に図６〜図１３を説明する。
【００２５】
図６〜図９及び図１０〜図１３は、本発明である車椅子の制動装置であるブレーキを作動させた時から、ブレーキを解除し、更に解除したブレーキバーを固定するまでの流れを示した背面図である。前記図６〜図９は、車椅子の制動装置を示した全体背面図、図１０〜図１３は車椅子の制動装置を示した拡大背面図である。
【００２６】
図６に示したのは車椅子を広げた時に左右の制動装置４ａ、４ｂを自動的に作動させ、後輪３ａ、３ｂを止める場合である。ブレーキバー９、９ａに設けた嵌着具９ｄ、９ｅは、後輪３ａ、３ｂのブレーキ９ｂ、９ｃを解除する際に、取り付ける嵌着具である。
【００２７】
また、図７は、車椅子１を広げ、着座シート１９へ利用者が着座し、後輪３ａ、３ｂの左右ブレーキ９ｂ、９ｃが、自動的に解除する仕組みを示した図である。図７に示したように、着座シート１９へ利用者が着座することで、伸縮帯２０が伸展し、ブレーキワイヤー１３、１３ａが背もたれシート１８側（内側）に引っ張られ、後輪３ａ、３ｂからブレーキ９ｂ、９ｃを解除することができる。
【００２８】
図８に示したのは、車椅子１を広げ利用者が着座していない場合、即ち車椅子のみ移動したい場合にブレーキバー９ａのブレーキ９ｃを手動で解除し、そのまま前記ブレーキバー９ａの下部に設けた止め金具１０ａに前嵌着具９ｅをかけるまでのブレーキバー９ａの作動から解除までの流れを示した背面斜視図である。図８に示したようにブレーキ９ｃの作動とは、ブレーキ９ｃが後輪３ｂに接触している。（１）
【００２９】
そしてブレーキバー９ａを作動から解除するために、リング１１ａの中で背面（後方）に向かって引く（２）。そして、止め金具１０ａにブレーキバー９ａの嵌着部９ｅを嵌着させる（３）ことでブレーキバー９ａを解除し続けることができる。なお、ブレーキバー９ａを前記嵌着部９ｅから外すことで後輪３ｂを自動的に停止することができる。
【００３０】
図９は、車椅子１を畳み、着座シート１９を畳んだ場合の左右の制動装置４を示した背面図である。次に図１０〜図１３で制動装置４ａの拡大図を示す。
【００３１】
図１０は、ブレーキ９ｃの作動を示した背面図である。利用者が着座シート１９に座る前を示している。ブレーキバー９ａは、ブレーキワイヤー１３ａによって引っ張られていない。よって着座シート１９の下部に設けた伸縮帯２０は、伸びていない。
【００３２】
図１１は、ブレーキ９ｃの解除を示した背面図である。利用者が着座シート１９に座った後を示している。ブレーキバー９ａは、着座シート１９及び伸縮帯２０が伸びることで、ブレーキワイヤー１３ａを引っ張り、ブレーキバー９ａが背もたれシート１８側に移動する。
【００３３】
図１２は、利用者が着座シート１９に座ったままの状態、即ちブレーキ９ｃを手動で解除し、更に止め金具１０ａへ、ブレーキバー９ａを固定したことを示した背面図である。利用者は前記ブレーキバー９ａを、垂直フレーム２ｂの左方向から右方向に移動し、止め金具１０ａを嵌着具９ｅに係止することができる。
【００３４】
そして、前記止め金具１０ａにかけたブレーキバー９ａは、図１３に示したように、着座シート１９を畳む際に、垂直フレーム２ｂの方向に対し、リング１１ａの枠内で上部に持ち上がることで、前記鞘止め具１０ｃから外すことができる
。
【００３５】
なお、図１４は従来の車椅子に取り付けた制動装置を示した左側面図である。図１４に示したように、従来の車椅子１ａの制動装置５は、ハンドル５ａと、ハンドル５ａから接続した連結金具５ｂと、ネジ５ｃと、ストッパー５ｄとからなる装置である。
【００３６】
また、従来の制動装置は、予め手動でハンドル５ａを移動し後車輪３ａを止める仕組みである。よって利用者は制動装置５であるブレーキの掛け忘れを生じ易く利用者の危険を防止することができない。
【００３７】
【発明の効果】
本発明は以上の構成であるから、利用者が車椅子を離れると同時に制動装置が働くため、不意に立ち上がろうとしても車椅子だけが動くことなく、また介護者の制動装置の掛け忘れを未然に防ぐこともできるため、利用者にとって極めて安全な車椅子の制動装置を提供することができる。
【００３８】
また、本発明である車椅子の制動装置は、従来の車椅子の制動装置として後から取り付けることもできる。よって、より安全性の高い制動装置が付いた車椅子を新たに購入する必要がないため、コストもかからない安全性に優れた制動装置付きの車椅子を提供することができる。
【図面の簡単な説明】
【図１】本発明である車椅子の制動装置を取り付けた車椅子の左側面図である。
【図２】本発明である車椅子の制動装置を取り付けた車椅子の正面図である。
【図３】本発明である車椅子の制動装置を取り付けた車椅子の背面図である。
【図４】本発明である車椅子の制動装置を取り付けた車椅子を折り畳んむ様子を示した正面図である。
【図５】本発明である車椅子の制動装置の底面図である。
【図６】本発明である車椅子の制動装置でブレーキの作動を示した正面図である。
【図７】本発明である車椅子の制動装置でブレーキの解除を示した背面図である。
【図８】本発明である車椅子の制動装置でブレーキの作動から解除を示した背面斜視図である。
【図９】本発明である車椅子の制動装置で車椅子を畳んだ正面図である。
【図１０】本発明である車椅子の制動装置で、ブレーキの作動及び着座シートに座る前を示した背面図である。
【図１１】本発明である車椅子の制動装置で、ブレーキの解除及び着座シートに座った後を示した背面図である。
【図１２】本発明である車椅子の制動装置で、ブレーキの作動及び着座シートに座った後を示した背面図である。
【図１３】本発明である車椅子の制動装置で、ブレーキの解除及び着座シートを畳んだことを示した背面図である。
【図１４】従来の車椅子の制動装置を示した左側面図である。
【符号の説明】
１　　　　　　　車椅子
１ａ　　　　　　車椅子
２　　　　　　　枠体部
２ａ、２ｂ　　　垂直フレーム
３　　　　　　　車輪部
３ａ、３ｂ　　　後輪
４　　　　　　　制動装置部
４ａ、４ｂ　　　制動装置
５　　　　　　　制動装置
５ａ　　　　　　ハンドル
５ｂ　　　　　　連結金具
５ｃ　　　　　　ネジ
５ｄ　　　　　　ストッパー
６、６ａ　　　　操作フレーム
７、７ａ　　　　中フレーム
８、８ａ　　　　下フレーム
９、９ａ　　　　ブレーキバー
９ｂ、９ｃ　　　ブレーキ
９ｄ、９ｅ　　　嵌着具
１０、１０ａ　　止め金具
１０ｂ、１０ｃ　鞘止め具
１０ｄ　　　　　固定バンド
１１、１１ａ　　リング
１２、１２ａ　　可動部材
１３、１３ａ　　ブレーキワイヤー
１３ｂ、１３ｃ　鞘
１４、１４ａ　　ハンドル
１５、１５ａ　　肘掛け
１６、１６ａ　　足乗せ
１７、１７ａ　　補助車輪
１８　　　　　　　　背もたれシート
１９　　　　　　着座シート
１９ａ　　　　　中央
２０、２０ａ　　伸縮帯
２０ｂ　　　　　押さえ帯
２１　　　　　　前筋交い
２１ａ　　　　　押圧部材
２２　　　　　　前筋交い
２２ａ　　　　　押圧部材
２３　　　　　　ネジ
２４　　　　　　後筋交い
２５　　　　　　後筋交い
２６　　　　　　ネジ
【図１】
2004081720.tif 000003
【図２】
2004081720.tif 000004
【図３】
2004081720.tif 000005
【図４】
2004081720.tif 000006
【図５】
2004081720.tif 000007
【図６】
2004081720.tif 000008
【図７】
2004081720.tif 000009
【図８】
2004081720.tif 000010
【図９】
2004081720.tif 000011
【図１０】
2004081720.tif 000012
【図１１】
2004081720.tif 000013
【図１２】
2004081720.tif 000014
【図１３】
2004081720.tif 000015
【図１４】
2004081720.tif 000016